(57)【特許請求の範囲】
【請求項１】
遮断部分を有する第１のレールと、
該第１のレールに可動に接続される第２のレールと、
該第２のレールに接続される遮断要素と、
前記第１のレールに接続される係合要素とを含む、
スライドレールアセンブリであって、
前記第２のレールが、前記第１のレールに対する回収位置に配置されるとき、前記係合要素は、前記遮断要素を前記第２のレールに対する第１の所定の位置から第２の所定の位置に移動させるために、前記遮断要素に動作的に接続され、前記第２のレールが、延伸方向に沿って前記第１のレールに対して移動させられるとき、前記遮断要素は、前記第２のレールが前記延伸方向に沿って前記第１のレールに対して移動するのを防止するために、前記第１のレールの前記遮断部分に当接し、
前記係合要素が、前記遮断要素を前記第２のレールに対する前記第２の所定の位置から前記第１の所定の位置に移動させるように動作させるとき、前記第２のレールは、前記延伸方向に沿って前記第１のレールに対して移動し得ることにより、
当該スライドレールアセンブリの延伸の長さを調節し得る、
スライドレールアセンブリ。
【請求項２】
前記第２のレールに対して可動な第３のレールを更に含む、請求項１に記載のスライドレールアセンブリ。
【請求項３】
前記第３のレールは、当接構成を有し、前記遮断要素が前記第１の所定の位置に配置されるとき、前記当接構成は、前記第２のレールを前記第３のレールと共に同時に移動させるために、前記遮断要素に当接する、請求項２に記載のスライドレールアセンブリ。
【請求項４】
前記係合要素は、前記第１のレールに可動に接続される、請求項１に記載のスライドレールアセンブリ。
【請求項５】
前記第１のレールは、第１の構成と、第２の構成とを有し、前記係合要素は、前記第１の構成と前記第２の構成との間で前記第１のレールに可動に接続される、請求項４に記載のスライドレールアセンブリ。
【請求項６】
前記係合要素は、前記第１のレールの前記第１の構成の２つの側にそれぞれ配置される、第１の遮断壁及び第２の遮断壁を有する、請求項５に記載のスライドレールアセンブリ。
【請求項７】
弾性要素を更に含み、該弾性要素は、前記遮断要素に弾性力をもたらして、前記遮断要素を、前記弾性要素の前記弾性力に応じて、前記第２のレールに対する前記第１の所定の位置に位置付ける、請求項１に記載のスライドレールアセンブリ。
【請求項８】
前記係合要素及び前記遮断要素の一方は、前記遮断要素を案内して、前記遮断要素を前記第１の所定の位置から前記第２の所定の位置に容易に移動させる、傾斜案内部分を有する、請求項１に記載のスライドレールアセンブリ。
【請求項９】
前記第２のレールは、前記第１のレールに面するために、前記遮断要素の延伸部分が通過するのを可能にする孔を有する、請求項１に記載のスライドレールアセンブリ。
【請求項１０】
遮断部分を有する第１のレールと、
該第１のレールに可動に接続される第２のレールと、
該第２のレールに接続される遮断要素と、
前記第１のレールに可動に接続される係合要素と、
前記第２のレールに可動に接続される第３のレールとを含み、
前記第３のレールは、当接構成を有し、
前記第２のレールが、前記第１のレールに対する回収位置に配置されるとき、前記第３のレールの当接構成は、前記第２のレールを前記第３のレールと共に同時に移動させるために、前記遮断要素に当接し、
前記第２のレールが、前記第１のレールに対する前記回収位置に配置され、前記係合要素が、前記遮断要素を前記第１のレールの前記遮断部分に当接させるために、前記遮断要素に動作的に接続され、前記第３のレールの前記当接構成が、前記遮断要素にもはや当接しないとき、前記第２のレールは、延伸方向に沿って前記第１のレールに対して移動するのが防止され、前記第３のレールは、前記延伸方向に沿って前記第２のレールに対して移動し得る、
スライドレールアセンブリ。
【発明の詳細な説明】
【技術分野】
【０００１】
本発明は、スライドレールアセンブリに関し、より具体的には、延伸の長さを調節し得るスライドレールアセンブリに関する。
【背景技術】
【０００２】
Chen  et  al.によって発明された引用文献１は、三重セクタ(tri-sector)スライドのための同期装置を開示している。開示のスライドは、摺動レール及び装填レールが同じ軸方向に沿って固定レールに対して前後に動き得るよう、摺動レールを装填するために固定レールに固定される装填レールを含み、装填レールは、その後方端で連結プレートと共に旋回させられ、摺動レールは、連結プレートに対応する突起を含み、固定レールは、解放部材を含む。よって、摺動レールが引っ張られて延伸するとき、突起は、装填レールを同時に摺動させるために、連結プレートに当接する。摺動レールが装填レールに沿ってその末端まで延伸するのを可能にするために、解放部材は、突起を連結プレートから分離させるために、連結プレートを押して揺動させ得る。
【０００３】
Greenwald  et  al.によって発明された引用文献２は、複数の取付けポスト（３０）を有するシャーシ（３２）の側壁と、シャーシを装着するための入れ子式のスライドアセンブリ（１４）とを開示している。シャーシを容易に維持し得るよう、シャーシを一対の入れ子式のスライドアセンブリを通じてキャビネット（４０）内に装着し得る。その上、空間を効果的に節約するために、複数のシャーシをキャビネット内に装着し得る。
【０００４】
しかしながら、限定的な空間内で、前述の３つの区画の入れ子式のスライドアセンブリがシャーシを支持するので、シャーシが十分に延伸されたスライドアセンブリを通じてキャビネットから引き出されるときに、シャーシを維持するのは不便である。
（先行技術文献）
［特許文献］
［特許文献１］米国特許第６，９９７，５２９Ｂ１号明細書
［特許文献２］米国特許第７，６０４，３０７Ｂ２号明細書
【発明の概要】
【発明が解決しようとする課題】
【０００５】
本発明の目的は、異なる環境に応じて延伸の長さを調節し得る、スライドレールアセンブリを提供することである。
【課題を解決するための手段】
【０００６】
本発明の実施態様によれば、スライドレールアセンブリが、第１のレールと、第２のレールと、遮断要素（ブロッキング要素）と、係合要素とを含む。第１のレールは、遮断部分（ブロッキング部分）を有する。第２のレールは、第１のレールに可動に接続される。遮断要素は、第２のレールに接続される。その場合、第２のレールが第１のレールに対する回収位置に配置されるとき、係合要素は、遮断要素を第２のレールに対する第１の所定の位置から第２の所定の位置に移動させるために、遮断要素に動作的に接続され、第２のレールが延伸方向に沿って第１のレールに対して移動させられるとき、遮断要素は、第２のレールが延伸方向に沿って第１のレールに対して移動させられるのを防止するために、第１のレールの遮断部分に当接する。その場合、係合要素が遮断要素を第２のレールに対する第２の所定の位置から離れる方向に移動させるように動作させられるとき、第２のレールは延伸方向に沿って第１のレールに対して移動し得る。
【０００７】
本発明の上記実施態様によれば、スライドレールアセンブリは、第２のレールに可動に接続される第３のレールを更に含む。
【０００８】
本発明の上記実施態様によれば、第３のレールは、当接構成を有し、遮断要素が第１の所定の位置に配置されるとき、当接構成は、第２のレールを第３のレールと共に同時に移動させるために、遮断要素に当接する。
【０００９】
本発明の上記実施態様によれば、係合要素は、第１のレールに可動に接続される。
【００１０】
本発明の上記実施態様によれば、第１のレールは、第１の構成と、第２の構成とを有し、係合要素は、第１の構成と第２の構成との間で第１のレールに可動に接続される。
【００１１】
本発明の上記実施態様によれば、係合要素は、第１のレールの第１の構成の２つの側にそれぞれ配置される、第１の遮断壁（ブロッキング壁）及び第２の遮断壁（ブロッキング壁）を有する。
【００１２】
本発明の上記実施態様によれば、スライドレールアセンブリは、弾性要素を更に含み、弾性要素は、遮断要素に弾性力をもたらして、遮断要素を、弾性要素の弾性力に応じて、第２のレールに対する第１の所定の位置に位置付ける。
【００１３】
本発明の上記実施態様によれば、係合要素及び遮断要素の一方は、遮断要素を案内して、遮断要素を第１の所定の位置から第２の所定の位置に容易に移動させる、傾斜案内部分を有する。
【００１４】
本発明の上記実施態様によれば、第２のレールは、第１のレールに面するために、遮断要素の延伸部分が通過するのを可能にする孔を有する。
【００１５】
本発明の他の実施態様によれば、スライドレールアセンブリが、第１のレールと、第２のレールと、第３のレールと、遮断要素（ブロッキング要素）と、係合要素とを含む。第１のレールは、遮断部分（ブロッキング部分）を有する。第２のレールは、第１のレールに可動に接続される。第３のレールは、第２のレールに可動に接続され、第３のレールは、当接構成を有する。遮断要素は、第２のレールに接続される。係合要素は、第１のレールに可動に接続される。その場合、第２のレールが第１のレールに対する回収位置に配置されるとき、第３のレールの当接構成は、第２のレールを第３のレールと共に同時に移動させるために、遮断要素に当接する。その場合、第２のレールが第１のレールに対する回収位置に配置され、遮断要素を第１のレールの遮断部分に当接させるために係合要素が遮断要素に動作的に接続され、第３のレールの当接構成が遮断要素にもはや当接しないとき、第２のレールは延伸方向に沿って第１のレールに対して移動するのが防止され、第３のレールは延伸方向に沿って第２のレールに対して移動し得る。
【００１６】
本発明のこれらの及び他の目的は、様々な図面及び図中に例示される好適な実施態様の後続の詳細な記述を判読した後に、当業者に疑義なく明らかになるであろう。
【図面の簡単な説明】
【００１７】
【図１】本発明の実施態様に従ってシャーシがラックの完全に外側になるのを可能にするために十分に延伸されたスライドレールアセンブリを示す図である。
【００１８】
【図２】本発明の実施態様に従ってシャーシがラックの部分的に外側になるのを可能にするために調節されたスライドレールアセンブリの延伸された長さを示す図である。
【００１９】
【図３】本発明の実施態様に従ったスライドレールアセンブリを示す分解図である。
【００２０】
【図４】本発明の実施態様に従ったスライドレールアセンブリの第１のレールの部分を他の視角から示す図である。
【００２１】
【図５】本発明の実施態様に従った第２のレールへの遮断要素の装着を示す分解図である。
【００２２】
【図６】本発明の実施態様に従った本発明の実施態様に従ったスライドレールアセンブリの第３のレールの部分を他の視角から示す図である。
【００２３】
【図７】本発明の実施態様に従った第１のレールへの係合要素の装着を示す分解図である。
【００２４】
【図８】スライドレールアセンブリが本発明の実施態様に従った回収位置に配置されるときに、当接構成は遮断要素に面した状態にある、第１の所定の位置に配置される係止要素を示す図である。
【００２５】
【図９】本発明の実施態様に従った位置まで移動させるよう作動させられた係合要素を示す図である。
【００２６】
【図１０】遮断要素を第２の所定の位置まで移動させるために作動させられた係合要素を示す図であり、当接構成は本発明の実施態様に従った遮断要素にもはや当接していない。
【００２７】
【図１１】本発明の実施態様に従った第１のレールの遮断部分に当接している遮断要素を示す図である。
【００２８】
【図１２】本発明の実施態様に従って延伸方向に沿って第２のレールに対して移動している第３のレールを示す図である。
【発明を実施するための形態】
【００２９】
図１に示すように、シャーシ２０が一対のスライドレールアセンブリ２２を通じてラック２４に取り付けられ、一対のスライドレールアセンブリ２２は完全に延伸させられて、シャーシ２０をラック２４の完全に外側に移動させている。
【００３０】
図２に示すように、スライドレールアセンブリ２２の延伸の長さは短くされて、シャーシ２０をラック２４の部分的に外側に動かす。図２の動作モードは、図１の動作モードよりも小さい延伸空間を必要とする。
【００３１】
図３に示すように、本発明のスライドレールアセンブリ２２は、第１のレール２６と、第２のレール２８と、第３のレール３０とを含む。第１のレール２６は、第１の上方壁３２ａと、第１の下方壁３２ｂと、第１の上方壁３２ａと第１の下方壁３２ｂとの間に接続される第１の側壁３４とを含む。遮断部分３６（ブロッキング部分）が、例えば、第１のレール２６の第１の側壁３４に配置される。第２のレール２８は、第１のレール２６に可動に接続される。第２のレール２８は、第２の上方壁３８ａと、第２の下方壁３８ｂと、第２の上方壁３８ａと第２の下方壁３８ｂとの間に接続される第２の側壁４０とを含む。第３のレール３０は、第２のレール２８に可動に接続される。
【００３２】
図４は、第１のレール２６に接続される係合要素４６を更に示している。加えて、第１のレール２６は、第１の構成４８と、第２の構成５０とを有する。係合要素４６は、第１のレール２６に可動に接続され、直線移動のために第１の構成４８と第２の構成５０との間に配置される。係合要素４６は、第１のレール２６の第１の構成４８の２つの側にそれぞれ配置される、第１の遮断壁５２（ブロッキング壁）及び第２の遮断壁５４（ブロッキング壁）を有する。
【００３３】
図５は、第２のレール２８に接続されるべき遮断要素５６を更に示している。より具体的には、遮断要素５６は、接続要素５８を通じて第２のレール２８に可動に接続される。弾性要素６０が、遮断要素５６に弾性力をもたらすように構成され、弾性要素６０の弾性力に応じて遮断要素５６（ブロッキング要素）を第２のレール２８に対して所定の位置に位置付ける。その場合、第２のレール２８は孔４２を有し、孔４２は、例えば、第２のレール２８の第２の側壁４０に配置される。遮断要素５６の延伸部分５７は、第１のレール２６に面するために、第２のレール２８の孔４２を通じて進むように構成される。
【００３４】
図６は、当接構成４４を有する第３のレール３０を更に示している。
【００３５】
図７は、延伸孔６２を有する係合要素４６を更に示している。延伸孔６２を通じて進むようよう接続要素６４を配置することを通じて、係合要素４６は、係合要素４６が限定的な空間内で第１のレール２６に対して移動するのを可能にするために、接続要素６４によって第１のレール２６に接続される。
【００３６】
図８に示すように、スライドレールアセンブリ２２の第２のレール２８は、第１のレール２６に対して回収位置に配置されている。他方、遮断要素５６は、弾性要素６０の弾性力に応じて第２のレール２８に対する所定の位置Ｐ１に配置されている。遮断要素５６が第１の所定の位置Ｐ１に配置されるとき、第３のレール３０の当接構成４４は遮断要素５６に面する（当接構成４４の少なくとも一部は延長方向Ｄに沿って遮断要素５６と整列させられる）。従って、第３のレール３０が回収位置Ｋから引っ張り出され、延長方向Ｄに沿って第２のレール２８に対して移動するとき、第３のレール３０の当接構成４４は、第２のレール２８を第３のレール３０と共に同時に移動させるために、遮断要素５６に当接する。
【００３７】
図９及び図１０に示すように、遮断要素５６の延伸部分５７が第１のレール２６の遮断部分３６に向かって面するように（遮断要素５６の延伸部分５７の少なくとも一部は延伸方向Ｄに沿って遮断部分３６に整列させられるように）、係合要素４６は、遮断要素５６を第２のレール２８に対する第１の所定の位置Ｐ１から第２の所定の位置Ｐ２に移動させるために、遮断要素５６に動作的に接続される。その場合、係合要素４６及び遮断要素５６の一方は、傾斜案内部分６６を有する。本実施態様では、例えば、係合要素４６が傾斜案内部分６６を有する。傾斜案内部分６６の案内を通じて、遮断要素５６を第１の所定の位置Ｐ１から第２の所定の位置Ｐ２に容易に移動させ得る。遮断要素５６が第２の所定の位置Ｐ２に配置されるとき、遮断要素５６の延伸部分５７は、第１のレール２６の遮断部分３６に面する。他方、遮断要素５６が第２の所定の位置Ｐ２に配置されるとき、第３のレール３０の当接構成４４は、もはや遮断要素５６に面しない。
【００３８】
図１１に示すように、遮断要素５６が第２の所定の位置Ｐ２に配置され、第２のレール２８が延伸方向Ｄに沿って第１のレール２６に対して移動するとき、遮断要素５６の延伸部分５７は、第２のレール２８が延伸方向Ｄに沿って第１のレール２６に対して移動するのを防止するために、第１のレール２６の遮断部分３６に当接する。換言すれば、上記動作モードでは、異なる環境における様々な条件を満足するために、スライドレールアセンブリの延伸の長さを調節し且つ短縮し得る。例えば、限定的な空間内で動作するとき、上記動作モードは要件を満足し得る。
【００３９】
図１２に示すように、遮断要素５６が第２の所定の位置Ｐ２に配置されるとき、当接構成４４は、もはや遮断要素５６に面さない。従って、第３のレール３０のみを延伸方向Ｄに沿って第２のレール２８に対して動かすことができ、第２のレール２８は延伸方向Ｄに沿って第１のレール２６に対して移動することが防止される。
【００４０】
もちろん、図８に示すように、弾性要素６０の弾性力によって遮断要素５６を第２のレール２８に対して第２の所定の位置Ｐ２から第１の所定の位置Ｐ１に移動させ得るよう、もはや遮断要素５６が動くのを案内しないように係合要素４６を動作させることもできる。一方では、遮断要素５６の延伸部分５６は、もはや第１のレール２６の遮断部分３６に向かって面せず、第３のレール３０の当接構成４４は、再び遮断要素５６に向かって面する。従って、第３のレール３０が回収位置Ｋから引っ張り出され、延伸方向Ｄに沿って第２のレール２８に対して動くとき、当接構成４４は、第２のレール２８を第３のレール３０と共に同時に移動させるために、遮断要素５６に当接する。上記動作モードを通じて、異なる環境における様々な要件を満足するために、スライドレールアセンブリの延伸の長さを調節して元の延伸の長さを回復し得る。
【００４１】
上記例示によれば、異なる環境における様々な要件を満足するために、スライドレールアセンブリの延伸の長さを本発明の実施態様の設計に従って調節し得る。
【００４２】
当業者は、本発明の教示を維持しながら、装置及び方法の数多くの変形及び変更を行ってよいことを直ちに観察するであろう。従って、上記開示は付属の請求項の境界によってのみ限定されるものとして解釈されなければならない。
【符号の説明】
【００４３】
２０  シャーシ  (chassis)
２２  スライドレールアセンブリ  (slide  rail  assembly)
２４  ラック  (rack)
２６  第１のレール  (first  rail)
２８  第２のレール  (second  rail)
３０  第３のレール  (third  rail)
３２ａ  第１の上方壁  (first  upper  wall)
３２ｂ  第１の下方壁  (first  lower  wall)
３４    第１の側壁  (first  side  wall)
３６    遮断部分  (blocking  part)
３８ａ  第１の上方壁  (second  upper  wall)
３８ｂ  第２の下方壁  (second  lower  wall)
４０    第２の側壁  (second  side  wall)
４２    孔  (hole)
４４    当接特徴  (abutting  feature)
４６    係合要素  (engagement  element)
４８    第１の特徴  (first  feature)
５０    第２の特徴  (second  feature)
５６    遮断要素  (blocking  element)
５７    延伸部分  (extension  part)
６０    弾性要素  (elastic  element)
６２    延伸孔  (extension  hole)
６４    接続要素  (connection  element)
６６    案内部分  (guiding  part)
Ｄ      延伸方向  (extension  direction)
Ｐ１    第１の所定の位置  (first  predetermined  position)
Ｐ２    第２の所定の位置  (second  predetermined  position)
【図１】
0006335156.tif 000002
【図２】
0006335156.tif 000003
【図３】
0006335156.tif 000004
【図４】
0006335156.tif 000005
【図５】
0006335156.tif 000006
【図６】
0006335156.tif 000007
【図７】
0006335156.tif 000008
【図８】
0006335156.tif 000009
【図９】
0006335156.tif 000010
【図１０】
0006335156.tif 000011
【図１１】
0006335156.tif 000012
【図１２】
0006335156.tif 000013